(57)【特許請求の範囲】
【請求項１】
導電性の内側ガイドレールを一部とする区画部材により遊技部を区画し、該遊技部内の下部にアウト穴を開設するとともにアウト穴の開口縁前面に導電性の板状飾り部材を取り付け、前記遊技部内には、電気的制御装置に接続された電気的遊技装置を配設した遊技盤を備えた弾球遊技機において、
前記電気的遊技装置の取付基板の表裏全面に導電性のメッキを施し、静電気が帯電する内側ガイドレール若しくはアウト穴の板状飾り部材の帯電部と上記電気的遊技装置の取付基板との間に所要間隙の離隔領域を形成し、
前記電気的制御装置と電気的に接続されて前記電気的遊技装置の一部を構成する電気部品と、前記電気的遊技装置の取付基板との間に絶縁材からなり導通路または放電路の形成を阻止する電気的接続阻止手段を設けたことを特徴とする弾球遊技機。
【請求項２】
前記電気的遊技装置の一部を構成する電気部品は、配線パターンを有する配線基板であることを特徴とする請求項１に記載の弾球遊技機。
【請求項３】
前記電気的遊技装置の一部を構成する電気部品は、導線が折り返されたランプであることを特徴とする請求項１に記載の弾球遊技機。
【発明の詳細な説明】
【０００１】
【産業上の利用分野】
本発明は、ガイドレールを一部とする区画部材により遊技部を区画し、該遊技部内の下部にアウト穴を開設するとともに該アウト穴の開口縁前面に導電性の板状飾り部材を取り付け、遊技部内には、電気的制御装置に接続された電気的遊技装置を配設した遊技盤を備えた弾球遊技機に関するものである。
【０００２】
【従来の技術】
近年、所謂スリーセブン機などのように短時間に大量の賞球を獲得可能な弾球遊技機が種々開発されており、人気を博している。この種の弾球遊技機は、電気的制御装置の制御の下で作動する大型の電気的遊技装置を他の遊技具と共に配設する。また、遊技者への装飾効果を高めるとともに、大型の電気的遊技装置の配設により遊技部内の障害釘の数が減り、打球の流下速度が増す傾向にある。このため、電気的遊技装置に導電性のメッキを施して摩耗を防止する構成を採っている。
【０００３】
【発明が解決しようとする課題】
また、近年の遊技機は、遊技球を投入する上皿、遊技盤表面のセル板、遊技部内の遊技具など遊技球が通過する部分にプラスチック製の部品を多用しているので、これらの部品と遊技球との摩擦等により静電気が発生してガイドレールに帯電する。そして、電気的遊技装置の配置によっては、ガイドレールと電気的遊技装置のメッキ部分とが導通してしまい、ガイドレールの静電気が電気的遊技装置に流れることが有る。
この様にして静電気が電気的遊技装置に流れると、電気的遊技装置の一部を構成しているランプ、ソレノイド、ＬＥＤ、配線基板の配線パターン部などの電気部品から配線を伝わって静電気が電気的制御装置まで流れて影響を及ぼし、誤動作の原因となる。
また、アウト穴の周りを装飾するために金属製の飾り部材をアウト穴の周囲に取り付けることが一般的に行なわれているが、この飾り部材がガイドレールと導通しており、ここから静電気が電気的遊技装置に流れる場合もある。
そこで、本発明は、ガイドレールやアウト穴飾りに帯電した静電気により電気的制御装置が影響を受けることのない弾球遊技機を提供することを目的とする。
【０００４】
【課題を解決するための手段】
本発明は上記目的を達成するために提案されたもので、請求項１に記載のものは、導電性の内側ガイドレールを一部とする区画部材により遊技部を区画し、該遊技部内の下部にアウト穴を開設するとともにアウト穴の開口縁前面に導電性の板状飾り部材を取り付け、遊技部内には、電気的制御装置に接続された電気的遊技装置を配設した遊技盤を備えた弾球遊技機において、
前記電気的遊技装置の取付基板の表裏全面に導電性のメッキを施し、静電気が帯電する内側ガイドレール若しくはアウト穴の板状飾り部材の帯電部と上記電気的遊技装置の取付基板との間に所要間隙の離隔領域を形成し、
前記電気的制御装置と電気的に接続されて前記電気的遊技装置の一部を構成する電気部品と、前記電気的遊技装置の取付基板との間に絶縁材からなり導通路または放電路の形成を阻止する電気的接続阻止手段を設けたものである。
【０００５】
【作用】
静電気が帯電する内側ガイドレール若しくはアウト穴の板状飾り部材の帯電部と電気的遊技装置のメッキした取付基板との間に所要間隙の離隔領域を形成するので、遊技部内を流下してきた打球が電気的遊技装置の取付基板に接触した状態であっても内側ガイドレールやアウト穴の板状飾り部材に帯電している静電気が当該打球を介して電気的遊技装置の取付基板に流れることを防止することができる。また、電気的制御装置と電気的に接続されて前記電気的遊技装置の一部を構成する電気部品と、前記電気的遊技装置の取付基板との間に絶縁材からなる電気的接続阻止手段を設け、該電気的接続阻止手段が両者の間に導通路または放電路が形成されることを阻止しているので、帯電部に帯電している静電気が電気的遊技装置の取付基板から電気部品を通って電気的制御装置に流れず、電気的制御装置はこれら静電気の影響を受けない。
【０００６】
【実施例】
以下、本発明の実施例を図面にもとづいて説明する。
図１は代表的な弾球遊技機であるパチンコ機１の斜視図であり、図２はその背面図である。
このパチンコ機１は、プラスチック製の額縁状前面枠２の開口部にガラス枠３と前面パネル４を開放可能に軸着し、前面パネル４にはプラスチック製の上皿５を設け、前面枠２の下部にプラスチック製の下皿６と発射ハンドル７を、上部には球貸し用プリペイドカードのリーダ・ライタ８をそれぞれ設け、球貸し用操作ボタン９…を上皿５に設けてある。
【０００７】
そして、前面枠２の窓部を裏側から塞ぐようにして装着した遊技盤１０の表面には、図３に示すように、鋼帯板製の外側ガイドレール１１と内側ガイドレール１２を略ループ状に止着することによりほぼ円形の遊技部１３を区画し、この遊技部１３内のほぼ中央には電気的遊技装置であって数字等の図柄を表示可能な可変表示装置１４、該可変表示装置１４の下方に始動入賞口１５、該始動入賞口１５の下方に電気的遊技装置であって可変表示装置１４の図柄表示結果によって遊技球を受け入れない第１状態から受け入れ易い第２状態に変換する変動入賞装置１６などを配設し、遊技部１３内の最下部にアウト穴１７を開設するとともに、該アウト穴１７の開口縁前面に金属板製の飾り部材１８を取り付け、遊技部１３の外側にはプラスチック製レンズを有し、遊技部１３の外縁を一部で区画している大当り表示器など各種の表示器１９…を配設する。この様に、本実施例では、上記した外側ガイドレール１１、内側ガイドレール１２、大当り表示器などの各種の表示器１９…が、本発明の区画部材として機能し、遊技部１３を区画している。
【０００８】
なお、上記した可変表示装置１４や変動入賞装置１６などは、図２に示す電気的制御装置２０と配線２１…を介して電気的に接続しており、この電気的制御装置２０の制御の下で作動する。
【０００９】
図面に示す変動入賞装置１６は通称アタッカーと呼ばれているもので、取付基板２２に横長な開口部を開設し、該開口部に扉部材２３を軸着し、該扉部材２３をソレノイド等の駆動により開閉することによって打球を受け入れない第１状態と打球を受け入れ易い第２状態とに変換可能であり、取付基板２２の外縁部分に装飾用のメッキを施して所定部分２４としてある。そして、アウト穴１７の飾り部材１８に接近する所定部分２４と飾り部材１８との間にプラスチックやガラスなどの絶縁材からなる横長な絶縁板２５を電気的接続阻止手段として介在させる。
【００１０】
本実施例では変動入賞装置１６を遊技盤１０に取り付ける際に、図４に示すように、絶縁板２５の上半を取付基板２２と遊技盤１０表面との間に差し込んで止着し、取付基板２２の下端縁から下方に出ている絶縁板２５の下半をアウト穴飾り部材１８の表面に被せる。なお、絶縁板２５はアウト穴飾り部材１８の横幅とほぼ同じ横幅を有し、全体が透明である。したがって、飾り部材１８が絶縁板２５で覆われていても、遊技者側からは絶縁板２５を通して後方の飾り部材１８を視認可能である。
【００１１】
また、帯電部となる内側ガイドレール１２と変動入賞装置１６の取付基板２２の下端縁（飾り部材１８に対向する部分を除く）との間隔は、遊技球の直径とほぼ同じ間隔に設定してある。したがって、本実施例では、上記間隔が本発明の離隔領域として機能し、遊技部１３内を流下してきた打球が変動入賞装置１６の所定部分２４に接触した状態であっても内側ガイドレール１２に帯電している静電気が当該打球を介して変動入賞装置１６の所定部分２４に流れることはない。
この様に、電気的遊技装置の取付基板に導電性のメッキを施し、静電気が帯電する内側ガイドレール若しくはアウト穴の板状飾り部材の帯電部と上記電気的遊技装置の取付基板との間に所要間隙の離隔領域を形成しておくと、遊技部１３内を流下してきた打球が電気的遊技装置の取付基板に接触した状態であっても内側ガイドレール１２に帯電している静電気が当該打球を介して電気的遊技装置の取付基板に流れることを防止することができる。
【００１２】
また、図４に示すように、流下してきた打球が帯電部となるアウト穴飾り部材１８の上方で変動入賞装置１６の所定部分２４に接触した状態であっても、この打球と飾り部材１８との間には絶縁板２５が介在して絶縁しているので、飾り部材１８に帯電している静電気が当該打球を介して変動入賞装置１６の所定部分２４に流れることはない。
【００１３】
なお、絶縁板２５が存在しないと、打球が取付基板２２の所定部分２４と飾り部材１８とに同時に接触したときに打球を含んだ導通路が形成され、飾り部材１８に帯電している静電気がこの導通路を通って取付基板２２の所定部分２４に流れてしまう。また、打球が所定部分２４と飾り部材１８とに同時に接触しなくても放電可能な距離だけ離隔しただけでは打球を含んだ放電路が形成されてしまい、飾り部材１８に帯電している静電気がこの放電路を通って、即ち放電して取付基板２２の所定部分２４に流れ込んでしまう。したがって、前記した電気的接続阻止手段としての絶縁板２５は、導通路は勿論のこと放電路も形成されない十分な絶縁抵抗を有するものである。
【００１４】
この様に、本実施例によれば変動入賞装置１６の取付基板２２の所定部分２４と飾り部材１８との間に設けた絶縁板２５により飾り部材１８に帯電している静電気が取付基板２２の所定部分２４に流れ込むことを阻止することができる。したがって、変動入賞装置１６に接続した配線２１を通って静電気が電気的制御装置２０に流れて影響を及ぼすことを未然に防止することができる。このため、内側ガイドレール１２やアウト穴１７の飾り部材１８などの帯電部に帯電した静電気に起因する電気的制御装置２０の誤動作をなくすことができる。
【００１５】
電気的接続阻止手段は、上記した絶縁板２５に限定されるものではなく、静電気が帯電する内側ガイドレール１２若しくは飾り部材１８の帯電部と電気的遊技装置の所定部分２４との間に導通路または放電路が形成されることを阻止する絶縁材であればどのようなものでもよい。
【００１６】
例えば、図５および図６に示す電気的接続阻止手段は、弾性を有する透明な絶縁材を断面略Ｕ字状に成形した長尺絶縁モール２６である。この絶縁モール２６を取付基板２２に取り付けるには、メッキを施した取付基板２２の所定部分２４を絶縁モール２６の溝２６′内に嵌合する。この様にして嵌合すると、絶縁モール２６の前片２６ａと後片２６ｂが挟持部として機能し、取付基板２２を挟み付け、これにより絶縁モール２６が取付基板２２から離脱することなく止着される。なお、絶縁モール２６は、図５に示すように、自然状態で溝２６′の開口部が他の部分よりも幅狭になるように成形することが望ましい。
【００１７】
この様な絶縁モール２６を変動入賞装置１６の取付基板２２の下縁に止着しておくと、遊技部１３内を流下してきた打球が内側ガイドレール１２やアウト穴飾り部材１８などの帯電部に接触または放電可能なまで接近したとしても、絶縁モール２６が導通路または放電路の形成を阻止しているので、内側ガイドレール１２や飾り部材１８に帯電している静電気が取付基板２２の所定部分２４に流れ込むことはない。
【００１８】
また、本発明ではメッキを施した電気的遊技装置の所定部分２４と、この電気的遊技装置の一部を構成しているランプ、ソレノイド、ＬＥＤ、配線基板の配線パターン部などの電気部品との間にも電気的接続阻止手段を設け、電気的遊技装置の所定部分２４に万一静電気が流れ込んでも、所定部分２４と電気的部品との間に導通路または放電路が形成されることを上記電気的接続阻止手段により阻止し、これにより所定部分２４の静電気が電気部品に流れないように構成している。
【００１９】
図７および図８に示す実施例は、電気的遊技装置としての前記変動入賞装置１６のランプ照明に関するものである。本実施例では取付基板２２の表裏全面にメッキを施して所定部分２４とし、ランプ２７を支持するランプ基板２８と変動入賞装置１６の取付基板２２との間に電気的接続阻止手段としての絶縁ブラケット２９を介在させてある。この絶縁ブラケット２９は、高い絶縁性を有するプラスチック製であり、ランプ２７を収納する筒状の収納部３０と円筒状の止着部３１を取付鍔部３２と一体成形してある。また、ランプ２７は、後部に軟質ゴム製の取付基部３３を有し、この取付基部３３に開設した２つの貫通穴内にランプ２７の導線３４，３４をそれぞれ挿通して、貫通穴から突出した部分を折り返してある。このランプ２７をランプ基板２８に取り付けるには、ランプ基板２８の前面に突設した２本の導通ピンを取付基部３３後面の貫通穴内に差し込んでセットし、これによりランプ基板２８の配線パターンとランプ２７の導線３４，３４を導通ピンを介して導通させる。
【００２０】
そして、ランプ２７を変動入賞装置１６の取付基板２２に取り付けるには、ランプ２７を絶縁ブラケット２９の収納部３０内に後方から挿入するとともに、ランプ基板２８の止着穴３５を絶縁ブラケット２９の止着部３１の後端の貫通孔に連通させ、この状態で取付基板２２の裏側に臨ませ、取付基板２２の裏面に突設した支柱３６を絶縁ブラケット２９の止着部３１内に嵌合するとともに、ランプ２７の先端部分を取付基板２２のランプ穴３７内に臨ませ、ランプ基板２８の止着穴３５からビス３８を挿入して該ビス３８により止着する。
【００２１】
この様にして取付基板２２にランプ２７を装着すると、ランプ２７の殆どが絶縁ブラケット２９の収納部３０内に収納されており、折り返した導線３４，３４も収納部３０内に収まり、ランプ２７の導体部分、特に静電気が流れ易い導線３４，３４が絶縁ブラケット２９に包囲されてメッキ部分（所定部分２４）とは導通路が形成されない状態であり、しかも放電路が形成される程には導線３４，３４がメッキ部分に接近し得ない状態となる。したがって、取付基板２２の所定部分２４（メッキ部分）に万一静電気が流れ込んでも、導線３４，３４などランプ２７の導体部分に静電気が流れ込むことはない。なお、ランプ基板２８も絶縁ブラケット２９の介在により取付基板２２の所定部分２４から十分離隔しており、したがって、所定部分２４の静電気がランプ基板２８に放電によって流れることもない。
【００２２】
この様に、本実施例では変動入賞装置１６の取付基板２２の下縁に止着した絶縁モール２６により内側ガイドレール１２やアウト穴１７の飾り部材１８などの帯電部との間に導通路または放電路が形成されること阻止しているので、これら帯電部に帯電している静電気が取付基板２２に流れることを絶縁モール２６の介在により有効に防止することができる。また、万一取付基板２２の所定部分２４に静電気が流れても、ランプ２７との間に設けた絶縁ブラケット２９により取付基板２２の所定部分２４とランプ２７の導線３４，３４やランプ基板２８との間に導通路または放電路が形成されることを阻止することができる。したがって、取付基板２２の所定部分２４に静電気が伝わったとしても、この静電気がランプ２７やランプ基板２８から配線２１を通して電気的制御装置２０に流れ込むことを阻止することができる。したがって、電気的制御装置２０が変動入賞装置１６の取付基板２２の所定部分２４に流れた静電気に起因して誤動作することを有効に防止することができる。
【００２３】
なお、上記した実施例はいずれも所謂第１種のパチンコ機１であるが、本発明はこれらに限定されるものではなく、その他の所謂第２種、第３種のパチンコ機１は勿論のこと遊技球を使用する弾球遊技機であればどのような種類の遊技機でも良く、例えばアレンジボール式遊技機などでもよい。
【００２４】
【発明の効果】
以上説明したように本発明によれば、内側ガイドレール若しくはアウト穴の板状飾り部材の帯電部と電気的遊技装置の取付基板のメッキ部との間に所要間隙の離隔領域を形成するので、上記帯電部に帯電した静電気が電気的遊技装置のメッキ部に導通してしまう事態を有効に防止することができる。
また、電気的制御装置と電気的に接続されて前記電気的遊技装置の一部を構成する電気部品と、前記電気的遊技装置の取付基板との間に絶縁材からなり導通路または放電路の形成を阻止する電気的接続阻止手段を設けたので、内側ガイドレール若しくはアウト穴の板状飾り部材の帯電部に帯電した静電気が電気的遊技装置の取付基板のメッキ部に、打球を介して導通したり放電したとしても、静電気が電気部品から配線を通って電気的制御装置に流れ込むことを阻止することができる。したがって、静電気に起因する電気的制御装置の誤動作を一層確実に防止することができる。
【図面の簡単な説明】
【図１】  パチンコ機の斜視図である。
【図２】  パチンコ機の背面図である。
【図３】  遊技盤の正面図である。
【図４】  図３に示す変動入賞装置の取付基板とアウト穴の飾り部材と絶縁板の位置関係を示す断面図である。
【図５】  電気的接続阻止手段の第２の実施例である絶縁モールと取付基板の断面図である。
【図６】  取付基板の下端に絶縁モールを挟着した状態を示す断面図である。
【図７】  電気的接続阻止手段としての絶縁ブラケットを介在させてランプの取り付け状態を示す変動入賞装置の取付基板の後方から見た斜視図である。
【図８】  ランプを取り付けた状態における変動入賞装置の部分断面図である。
【符号の説明】
１  弾球遊技機としてのパチンコ機
１０  遊技盤
１１  外側ガイドレール
１２  内側ガイドレール
１３  遊技部
１４  電気的遊技装置としての可変表示装置
１６  電気的遊技装置としての変動入賞装置
１７  アウト穴
１８  アウト穴の飾り部材
２０  電気的制御装置
２１  配線
２２  変動入賞装置の取付基板
２４  メッキを施した所定部分
２５  電気的接続阻止手段としての絶縁板
２６  電気的接続阻止手段としての絶縁モール
２７  電気部品としてのランプ
２８  ランプ基板
２９  電気的接続阻止手段としての絶縁ブラケット
【図１】
0003729513.tif 000002
【図２】
0003729513.tif 000003
【図３】
0003729513.tif 000004
【図４】
0003729513.tif 000005
【図５】
0003729513.tif 000006
【図６】
0003729513.tif 000007
【図７】
0003729513.tif 000008
【図８】
0003729513.tif 000009